(57)【要約】【課題】検版作業を好適に補助できる汎用性の高い出力技術の提供。【解決手段】印刷装置ＰＲＴは、印刷対象となる画像データの入力を受け付ける入力部５１と、入力画像データの特徴量を符号化した判定符号を作成する符号作成部５３と、版数の違いを表す版数識別情報として記憶された複数種類の版数識別情報のうちから１つを選択する選択部５４と、少なくとも入力画像データを印刷して、版数識別情報を付加した印刷物を出力する出力部５５と、印刷対象となった入力画像データの判定符号を、印刷画像データの印刷物に付加する版数識別情報と対応付けて記憶する符号記憶部６２と、印刷対象となる画像データの判定符号と記憶された判定符号とを照合して、版数が異なる画像データの判定符号を特定する符号照合部５６とを備え、選択部５４は、符号照合部５６の照合結果に基づいて、版数が異なる画像データの印刷物に未だ付加されていない版数識別情報を選択する。【選択図】図５
2011205193.tif 000002
【特許請求の範囲】
【請求項１】
所定の画像を表す画像データを出力する画像出力装置であって、
出力対象となる前記画像データの入力を受け付ける入力部と、
前記入力した画像データの特徴量を符号化した判定符号を作成する符号作成部と、
版数の違いを表す版数識別情報として記憶された複数種類の版数識別情報のうちから１つを選択する選択部と、
前記入力した画像データに前記選択した版数識別情報を付加した付加画像データを出力する出力部と、
出力対象となった前記入力した画像データについての前記判定符号を、該画像データに付加する版数識別情報と対応付けて記憶する符号記憶部と、
前記出力対象となる画像データの前記判定符号と、前記符号記憶部に記憶された前記判定符号とを照合して、該出力対象となる画像データとは版数が異なる画像データの前記判定符号を特定する符号照合部と
を備え、
前記選択部は、前記符号照合部の照合の結果に基づいて、前記版数が異なる画像データに未だ付加されていない前記版数識別情報を選択する
画像出力装置。
【請求項２】
請求項１記載の画像出力装置であって、
前記符号作成部は、前記入力した画像データを、該画像データが表す画像のページごとに前記判定符号を作成し、
前記符号照合部は、前記出力対象となる画像データの前記判定符号と、前記符号記憶部に記憶された前記判定符号とが、所定数または所定割合のページで一致する場合に、該記憶された判定符号を、前記版数が異なる画像データの判定符号として特定する
画像出力装置。
【請求項３】
前記判定符号は、所定範囲の前記入力した画像データを所定数の領域に分割し、該分割した領域ごとに前記符号化を行った符号化データを合わせて構成される請求項１または請求項２記載の画像出力装置。
【請求項４】
請求項３記載の画像出力装置であって、
前記判定符号は、所定範囲の前記入力した画像データを第１の数の領域に分割し、該分割した領域ごとに前記符号化を行った第１の符号化データと、該所定範囲の画像データを前記第１の数よりも多数である第２の数の領域に分割し、該分割した領域ごとに前記符号化を行った第２の符号化データとを含み、
前記第１の符号化データは、前記第２の符号化データよりも前に配置された
画像出力装置。
【請求項５】
前記特徴量は、前記入力した画像データの所定領域を構成する各々の画素データのうちの、所定範囲の色階調値を有する画素データが占める割合である請求項１ないし請求項４のいずれか記載の画像出力装置。
【請求項６】
請求項１ないし請求項５のいずれか記載の画像出力装置であって、
前記複数種類の版数識別情報は、少なくとも色または形状が相互に異なる識別マークを表すマーク画像データであり、
前記出力部は、前記入力した画像データと前記マーク画像データとを合成した合成画像データを生成し、該合成画像データを前記付加画像データとして出力する
画像出力装置。
【請求項７】
請求項１ないし請求項６のいずれか記載の画像出力装置であって、
更に、前記出力対象となった画像データを、該画像データから作成した前記判定符号と対応付けて記憶する画像データ記憶部と、
前記符号照合部が特定した判定符号と対応付けられて記憶された画像データと、前記出力対象となる画像データとを照合して、該画像データ間の同一性を所定の単位ごとに特定する同一性判定部と
を備え、
前記出力部は、前記同一性判定部の判定結果を識別可能な同一性識別情報を付加した前記付加画像データを出力する
画像出力装置。
【請求項８】
請求項１ないし請求項６のいずれか記載の画像出力装置であって、
更に、前記出力対象となった画像データを、該画像データから作成した前記判定符号と対応付けて記憶する画像データ記憶部と、
前記符号照合部が特定した判定符号と対応付けられて記憶された画像データのページ単位の各々と、前記出力対象となる画像データのページ単位の各々とを照合して、該ページ間の対応関係を判定する対応関係判定部と
を備え、
前記出力部は、前記対応関係判定部の判定結果を識別可能な情報を付加した前記付加画像データを出力する
画像出力装置。
【請求項９】
所定の画像を表す画像データを出力する画像出力装置であって、
出力対象となる前記画像データの入力を受け付ける入力部と、
前記入力した画像データの特徴量を符号化した判定符号を作成する符号作成部と、
出力対象となった前記入力した画像データについての前記判定符号と、該出力対象となった画像データとを対応付けて記憶する画像データ記憶部と、
前記出力対象となる画像データの前記判定符号と、前記記憶された判定符号とを照合して、該出力対象となる画像データとは版数が異なる画像データの前記判定符号を特定し、前記出力対象となる画像データと、前記特定した判定符号に対応付けられた画像データとを照合して、該画像データ間の同一性を所定の単位ごとに判定する同一性判定部と、
前記入力した画像データに、前記同一性判定部の判定結果を識別可能な同一性識別情報を付加して出力する出力部と
を備えた画像出力装置。
【請求項１０】
所定の画像を表す画像データを出力するための画像出力制御プログラムであって、
出力対象となる前記画像データの入力を受け付ける入力機能と、
前記入力した画像データの特徴量を符号化した判定符号を作成する符号作成機能と、
版数の違いを表す版数識別情報として記憶された複数種類の版数識別情報のうちから１つを選択する選択機能と、
前記入力した画像データに前記選択した版数識別情報を付加した画像データを出力する出力機能と、
出力対象となった前記入力した画像データについての前記判定符号を、該画像データに付加する版数識別情報と対応付けて記憶する判定符号記憶機能と、
前記出力対象となる画像データの前記判定符号と、前記記憶された前記判定符号とを照合して、該出力対象となる画像データとは版数が異なる画像データの前記判定符号を特定する符号照合機能と
をコンピューターに実現させ、
前記選択機能は、前記照合の結果に基づいて、前記版数が異なる画像データに未だ付加されていない前記版数識別情報を選択する
画像出力制御プログラム。
【請求項１１】
所定の画像を表す画像データを出力するための画像出力方法であって、
出力対象となる前記画像データの入力を受け付ける入力工程と、
前記入力した画像データの特徴量を符号化した判定符号を作成する符号作成工程と、
版数の違いを表す版数識別情報として記憶された複数種類の版数識別情報のうちから１つを選択する選択工程と、
前記入力した画像データに前記選択した版数識別情報を付加した画像データを出力する出力工程と、
出力対象となった前記入力した画像データについての前記判定符号を、該画像データに付加する版数識別情報と対応付けて記憶する判定符号記憶工程と、
前記出力対象となる画像データの前記判定符号と、前記記憶された前記判定符号とを照合して、該出力対象となる画像データとは版数が異なる画像データの前記判定符号を特定する符号照合工程と
を備え、
前記選択工程は、前記符号照合工程の照合の結果に基づいて、前記版数が異なる画像データに未だ付加されていない前記版数識別情報を選択する
画像出力方法。
【発明の詳細な説明】
【技術分野】
【０００１】
本発明は、所定の画像を表す画像データを出力する出力技術に関し、特に、検版を補助する技術に関する。
【背景技術】
【０００２】
ユーザーが印刷物を作成する際には、最終的な印刷物のもととなる原稿データを決定するまでに、原稿データに何度も編集を加え、同時に試し刷りを行う。このとき、旧版の試し刷り印刷物と、新版の試し刷り印刷物とを重ね合わせ、正しく編集がなされているかを確認する作業（以下、検版作業ともいう）を行うのが一般的である。かかる検版作業を補助するために、原稿データを印刷する際に、版の識別を補助するマークを併せて印刷する技術が開発されている。例えば、下記特許文献１では、端末が原稿データと共に印刷指示の順番を特定する情報をプリントサーバーに送信し、プリントサーバーが、印刷指示の順番を特定する情報に応じた形状の帯状のマークを合成した原稿データを印刷装置に出力する技術を開示している。これにより、検版作業において、旧版と新版とを容易に識別して、旧版と新版との混同を防止することができる。
【０００３】
しかしながら、特許文献１の技術では、端末からプリントサーバーに対して印刷指示の順番を表す情報を送信するためには、端末が、この情報を管理する版管理システムを備えている必要があった。また、原稿を作成するアプリケーションによっては、版管理機能を備えているものもあるが、その情報がプリントサーバーで利用できるとは限らなかった。このようなことから、端末の仕様にかかわらず、検版作業の補助を行える、汎用性の高い技術が求められていた。かかる問題は、画像表示装置に編集を加えた画像データを表示させ、表示画面上で検版作業を行う場合にも共通する問題であった。
【先行技術文献】
【特許文献】
【０００４】
【特許文献１】特開２００７−２８０００１号公報
【特許文献２】特開平１０−１７１６１９号公報
【特許文献３】特開２００４−８２３４１号公報
【発明の概要】
【発明が解決しようとする課題】
【０００５】
上述の問題の少なくとも一部を踏まえ、本発明が解決しようとする課題は、検版作業を好適に補助できる汎用性の高い出力技術を提供することである。
【課題を解決するための手段】
【０００６】
本発明は、上述の課題を解決するためになされたものであり、以下の形態又は適用例として実現することが可能である。
【０００７】
［適用例１］所定の画像を表す画像データを出力する画像出力装置であって、
出力対象となる前記画像データの入力を受け付ける入力部と、
前記入力した画像データの特徴量を符号化した判定符号を作成する符号作成部と、
版数の違いを表す版数識別情報として記憶された複数種類の版数識別情報のうちから１つを選択する選択部と、
前記入力した画像データに前記選択した版数識別情報を付加した付加画像データを出力する出力部と、
出力対象となった前記入力した画像データについての前記判定符号を、該画像データに付加する版数識別情報と対応付けて記憶する符号記憶部と、
前記出力対象となる画像データの前記判定符号と、前記符号記憶部に記憶された前記判定符号とを照合して、該出力対象となる画像データとは版数が異なる画像データの前記判定符号を特定する符号照合部と
を備え、
前記選択部は、前記符号照合部の照合の結果に基づいて、前記版数が異なる画像データに未だ付加されていない前記版数識別情報を選択する
画像出力装置。
【０００８】
かかる構成の画像出力装置は、出力対象となった入力画像データの特徴量を符号化した判定符号を、付加する版数識別情報と対応付けて記憶する。そして、出力対象となる画像データから作成した判定符号と、出力対象となって記憶された判定符号とを照合して、出力対象となる画像データとは版数が異なる画像データの判定符号を特定し、入力画像データを出力する際に、版数が異なる画像データに未だ付加されていない版数識別情報を選択して、付加して出力することができる。したがって、用意された版数識別情報の数までは、種類が異なる版数識別情報を付加した画像データを出力することができる。その結果、ユーザーは、版数識別情報を頼りに、新版と旧版との混同を防止することができ、検版作業の利便性が向上する。しかも、かかる画像出力装置は、入力画像データから作成した判定符号によって、版数が異なる画像データを特定することができるので、版管理システムを備えない外部装置、例えば、端末から画像データを受け付けて出力する場合においても、好適に適用することができ、汎用性に優れる。なお、画像の出力の態様としては、印刷装置への出力や画像表示装置への出力などとすることができる。
【０００９】
［適用例２］適用例１記載の画像出力装置であって、前記符号作成部は、前記入力した画像データを、該画像データが表す画像のページごとに前記判定符号を作成し、前記符号照合部は、前記出力対象となる画像データの前記判定符号と、前記符号記憶部に記憶された前記判定符号とが、所定数または所定割合のページで一致する場合に、該記憶された判定符号を、前記版数が異なる画像データの判定符号として特定する画像出力装置。
【００１０】
かかる構成の画像出力装置は、ページごとに判定符号を作成し、出力対象となる画像データの判定符号と、符号記憶部に記憶された判定符号とが、所定数または所定割合のページで一致する場合に、記憶された判定符号を、版数が異なる画像データの判定符号として特定する。つまり、判定符号の作成単位と、判定符号の一致を判断する単位との整合が図られるので、効率的な処理を行うことができる。しかも、簡単な処理で版数が異なる画像データを特定することができる。
【００１１】
［適用例３］前記判定符号は、所定範囲の前記入力した画像データを所定数の領域に分割し、該分割した領域ごとに前記符号化を行った符号化データを合わせて構成される適用例１または適用例２記載の画像出力装置。
かかる構成の画像出力装置は、範囲の広さと詳細さを併せ持つ判定符号を作成して、版数が異なる画像データの判定符号を効率的かつ精度良く特定することができる。
【００１２】
［適用例４］適用例３記載の画像出力装置であって、前記判定符号は、所定範囲の前記入力した画像データを第１の数の領域に分割し、該分割した領域ごとに前記符号化を行った第１の符号化データと、該所定範囲の画像データを前記第１の数よりも多数である第２の数の領域に分割し、該分割した領域ごとに前記符号化を行った第２の符号化データとを含み、前記第１の符号化データは、前記第２の符号化データよりも前に配置された画像出力装置。
【００１３】
かかる構成の画像出力装置において、判定符号は、同一の所定範囲を異なる数の分割数でそれぞれ分割され、分割された領域ごとに符号化が行われた符号化データを含み、粗く分割された領域ごとに作成した符号化データが相対的に前に配置される。したがって、照合する判定符号のもととなる画像データ間の内容が大きく異なる場合には、照合処理の早期の段階で、判定符号が不一致であることがわかり、版数が異なる画像データの判定符号ではないことを特定することができ、処理の効率化、高速化に資する。
【００１４】
［適用例５］前記特徴量は、前記入力した画像データの所定領域を構成する各々の画素データのうちの、所定範囲の色階調値を有する画素データが占める割合である適用例１ないし適用例４のいずれか記載の画像出力装置。
かかる構成の画像出力装置は、特徴量を容易に算出することができる。しかも、版数が異なる画像データ同士でなければ、所定範囲の色階調値を有する画素データが占める割合は、大きく異なることが多いので、版数が異なる画像データを精度良く特定することが可能な判定符号を作成することができる。
【００１５】
［適用例６］適用例１ないし適用例５のいずれか記載の画像出力装置であって、前記複数種類の版数識別情報は、少なくとも色または形状が相互に異なる識別マークを表すマーク画像データであり、前記出力部は、前記入力した画像データと前記マーク画像データとを合成した合成画像データを生成し、該合成画像データを前記付加画像データとして出力する画像出力装置。
【００１６】
かかる構成の画像出力装置は、入力した画像データと、版数識別情報としてのマーク画像データとを合成した合成画像データを出力する。したがって、出力装置が当然に備える出力機能によって、画像データに版数識別情報を付加することができ、版数識別情報を付加するための特別な機構等が不要である。例えば、画像出力装置が印刷装置である場合には、印刷装置が当然に備える印刷機能によって、印刷物に版数識別情報を付加することができる。その結果、出力装置の装置構成を簡略化でき、出力装置の小型化、低コスト化に資する。
【００１７】
［適用例７］適用例１ないし適用例６のいずれか記載の画像出力装置であって、更に、前記出力対象となった画像データを、該画像データから作成した前記判定符号と対応付けて記憶する画像データ記憶部と、前記符号照合部が特定した判定符号と対応付けられて記憶された画像データと、前記出力対象となる画像データとを照合して、該画像データ間の同一性を所定の単位ごとに特定する同一性判定部とを備え、前記出力部は、前記同一性判定部の判定結果を識別可能な同一性識別情報を付加した前記付加画像データを出力する画像出力装置。
【００１８】
かかる構成の画像出力装置は、出力対象となった画像データを判定符号と対応付けて記憶し、符号照合部が特定した判定符号と対応付けられて記憶された画像データと、出力対象となる画像データとを照合して、画像データ間の同一性を所定の単位ごとに判定し、その判定結果を同一性識別情報として付加した付加画像データを出力する。したがって、ユーザーは、編集を行ったページと、編集が行われなかったページとを容易に識別することができ、検版作業の利便性が向上する。しかも、判定符号に基づいて特定された、版数が異なる画像データのみを対象として、画像データの照合を行うので、判定符号と比較してデータサイズの大きい画像データ同士の照合を極力避けることができ、処理を効率化、高速化することができる。
【００１９】
［適用例８］適用例１ないし適用例６のいずれか記載の画像出力装置であって、更に、前記出力対象となった画像データを、該画像データから作成した前記判定符号と対応付けて記憶する画像データ記憶部と、前記符号照合部が特定した判定符号と対応付けられて記憶された画像データのページ単位の各々と、前記出力対象となる画像データのページ単位の各々とを照合して、該ページ間の対応関係を判定する対応関係判定部とを備え、前記出力部は、前記対応関係判定部の判定結果を識別可能な情報を付加した前記付加画像データを出力する画像出力装置。
【００２０】
かかる構成の画像出力装置は、出力対象となった画像データを判定符号と対応付けて記憶し、符号照合部が特定した判定符号と対応付けられて記憶された画像データのページ単位の各々と、出力対象となる画像データのページ単位の各々とを照合して、ページ間の対応関係を判定し、その判定結果を識別可能な情報を付加した付加画像データを出力する。したがって、ユーザーは、版数が異なる画像データ間のページごとの対応関係を容易に識別することができ、検版作業の利便性が向上する。しかも、判定符号に基づいて特定された、版数が異なる画像データのみを対象として、画像データの照合を行うので、判定符号と比較してデータサイズの大きい画像データ同士の照合を極力避けることができ、処理を効率化、高速化することができる。
【００２１】
［適用例９］所定の画像を表す画像データを出力する画像出力装置であって、出力対象となる前記画像データの入力を受け付ける入力部と、前記入力した画像データの特徴量を符号化した判定符号を作成する符号作成部と、出力対象となった前記入力した画像データについての前記判定符号と、該出力対象となった画像データとを対応付けて記憶する画像データ記憶部と、前記出力対象となる画像データの前記判定符号と、前記記憶された判定符号とを照合して、該出力対象となる画像データとは版数が異なる画像データの前記判定符号を特定し、前記出力対象となる画像データと、前記特定した判定符号に対応付けられた画像データとを照合して、該画像データ間の同一性を所定の単位ごとに判定する同一性判定部と、前記入力した画像データに、前記同一性判定部の判定結果を識別可能な同一性識別情報を付加して出力する出力部とを備えた画像出力装置。
【００２２】
かかる構成の画像出力装置は、出力対象となった入力画像データの特徴量をページごとに符号化した判定符号を、出力対象となった画像データと対応付けて記憶する。そして、出力対象となる画像データから作成した判定符号と、出力対象となって記憶された判定符号とを照合して、出力対象となる画像データとは版数が異なる画像データの判定符号を特定する。そして、出力対象となる画像データと、特定した判定符号に対応付けられた画像データとを照合して、画像データ間の同一性を所定の単位ごとに判定し、その判定結果を同一性識別情報として付加した画像データを出力する。したがって、ユーザーは、編集を行ったページと、編集が行われなかったページとを容易に識別することができ、検版作業の利便性が向上する。しかも、判定符号に基づいて特定された、版数が異なる画像データのみを対象として、画像データの照合を行うので、判定符号と比較してデータサイズの大きい画像データ同士の照合を極力避けることができ、処理を効率化、高速化することができる。さらに、かかる画像出力装置は、入力画像データから作成した判定符号と、画像データとによって、版数が異なる画像データを特定し、同一性の判定を行うことができるので、版管理システムを備えない外部装置、例えば、端末から画像データを受け付けて出力する場合においても、好適に適用することができ、汎用性に優れる。なお、適用例９の画像出力装置にも、適用例２〜６，８の構成を付加することもできる。
【００２３】
また、本発明は、画像出力装置としての構成のほか、適用例１０の画像出力制御プログラム、当該プログラムを記憶した記憶媒体、適用例１１の画像出力方法などとしても実現することができる。
［適用例１０］所定の画像を表す画像データを出力するための画像出力制御プログラムであって、出力対象となる前記画像データの入力を受け付ける入力機能と、前記入力した画像データの特徴量を符号化した判定符号を作成する符号作成機能と、版数の違いを表す版数識別情報として記憶された複数種類の版数識別情報のうちから１つを選択する選択機能と、前記入力した画像データに前記選択した版数識別情報を付加した画像データを出力する出力機能と、出力対象となった前記入力した画像データについての前記判定符号を、該画像データに付加する版数識別情報と対応付けて記憶する判定符号記憶機能と、前記出力対象となる画像データの前記判定符号と、前記記憶された前記判定符号とを照合して、該出力対象となる画像データとは版数が異なる画像データの前記判定符号を特定する符号照合機能とをコンピューターに実現させ、前記選択機能は、前記照合の結果に基づいて、前記版数が異なる画像データに未だ付加されていない前記版数識別情報を選択する画像出力制御プログラム。
【００２４】
［適用例１１］所定の画像を表す画像データを出力するための画像出力方法であって、出力対象となる前記画像データの入力を受け付ける入力工程と、前記入力した画像データの特徴量を符号化した判定符号を作成する符号作成工程と、版数の違いを表す版数識別情報として記憶された複数種類の版数識別情報のうちから１つを選択する選択工程と、前記入力した画像データに前記選択した版数識別情報を付加した画像データを出力する出力工程と、出力対象となった前記入力した画像データについての前記判定符号を、該画像データに付加する版数識別情報と対応付けて記憶する判定符号記憶工程と、前記出力対象となる画像データの前記判定符号と、前記記憶された前記判定符号とを照合して、該出力対象となる画像データとは版数が異なる画像データの前記判定符号を特定する符号照合工程とを備え、前記選択工程は、前記符号照合工程の照合の結果に基づいて、前記版数が異なる画像データに未だ付加されていない前記版数識別情報を選択する画像出力方法。
【図面の簡単な説明】
【００２５】
【図１】本発明の第１実施例としての印刷装置ＰＲＴの概略構成を示す説明図である。
【図２】識別情報記憶部６１に記憶された版数識別情報の具体例を示す説明図である。
【図３】符号記憶部６２に判定符号が記憶されている様子を示す説明図である。
【図４】符号記憶部６２の領域Ａ１に判定符号が記憶されている様子を示す説明図である。
【図５】識別情報付加処理の流れを示すフローチャートである。
【図６】印刷対象となる原稿データの内容の具体例を示す説明図である。
【図７】識別情報付加処理における判定符号の作成方法を示す説明図である。
【図８】識別情報付加処理を経て印刷された印刷物の具体例を示す説明図である。
【図９】識別情報付加処理における判定符号照合処理の流れを示すフローチャートである。
【図１０】判定符号照合処理における原稿間照合処理の流れを示すフローチャートである。
【図１１】原稿間照合処理におけるページ間照合処理の流れを示すフローチャートである。
【図１２】第２実施例としての印刷装置ＰＲＴａの概略構成を示す説明図である。
【図１３】判定符号と原稿データとが記憶されている様子を示す説明図である。
【図１４】第２実施例としての識別情報付加処理の流れを示すフローチャートである。
【図１５】第２実施例としての識別情報付加処理を経て印刷された印刷物の具体例を示す説明である。
【図１６】識別情報付加処理におけるマーク形状決定処理の流れを示すフローチャートである。
【図１７】第３実施例としてのマーク形状決定処理の流れを示すフローチャートである。
【図１８】第３実施例としての識別情報付加処理を経て印刷された印刷物の具体例を示す説明である。
【図１９】第３実施例としての識別情報付加処理を経て印刷された印刷物の具体例を示す説明である。
【図２０】第３実施例としての識別情報付加処理を経て印刷された印刷物の具体例を示す説明である。
【図２１】第１実施例の変形例としての画像表示装置ＤＩＳの概略構成を示す説明図である。
【発明を実施するための形態】
【００２６】
Ａ．第１実施例：
本発明の第１実施例について説明する。
Ａ−１．印刷装置ＰＲＴの概略構成：
本発明の第１実施例としての印刷装置ＰＲＴの概略構成を図１に示す。図示するように、印刷装置ＰＲＴは汎用のパーソナルコンピューターＰＣと接続されている。本実施例では、印刷装置ＰＲＴとパーソナルコンピューターＰＣとは、ローカル接続するものとしたが、ローカルエリアネットワークなどを介して接続されていてもよい。
【００２７】
印刷装置ＰＲＴは、プリントコントローラー４０と、プリントエンジン８０とを備えている。プリントコントローラー４０は、印刷装置ＰＲＴの動作全般を制御する制御ユニットであり、ＣＰＵ５０とメモリー６０とを備えている。プリントエンジン８０は、プリントコントローラー４０からの制御信号を受けて、印刷媒体に印刷を行う印刷機構である。
【００２８】
プリントコントローラー４０を構成するＣＰＵ５０は、メモリー６０に記憶された所定のプログラムをＲＡＭ（図示せず）に展開して実行することで、入力部５１、識別情報付加処理部５２、画像処理部５７として機能する。識別情報付加処理部５２は、符号作成部５３、選択部５４、出力部５５、符号照合部５６としての機能を有している。
【００２９】
入力部５１は、パーソナルコンピューターＰＣから印刷対象となる原稿データの入力を受け付ける。この原稿データは、本実施例では、パーソナルコンピューターＰＣにおいて、アプリケーション３１で作成され、さらに、ラスターライズ処理部３２によってＲＧＢ形式のラスターデータ（以下、ＲＧＢラスターデータともいう）に変換されたものである。ただし、入力を受け付ける原稿データは、ＲＧＢ形式に限るものではなく、例えば、ＣＭＹＫ形式であってもよい。また、ラスターデータへの変換処理は、印刷装置ＰＲＴで行う構成であってもよい。
【００３０】
識別情報付加処理部５２は、受け付けたＲＧＢラスターデータに対して、識別情報付加処理を行う。識別情報付加処理とは、ＲＧＢラスターデータに対して、版数を識別可能な版数識別情報を付加する処理であり、その詳細は後述する。なお、ここでの版数とは、所定の原稿データの編集作業において、何回目の試し刷りに係るものかを示す数である。識別情報付加処理によって、版数識別情報が付加された画像データは、識別情報付加処理部５２から画像処理部５７を介して、プリントエンジン８０に出力される。画像処理部５７は、識別情報付加処理部５２によって版数識別情報を付加されたＲＧＢラスターデータを、プリントエンジン８０で用いるインク色に対応するＣＭＹＫ形式のラスターデータに変換し、ハーフトーン処理を行う。なお、画像処理部５７は、必要に応じて、インターレース処理やスムージングなどの他の画像処理を併せて行ってもよい。
【００３１】
プリントコントローラー４０を構成するメモリー６０は、上述したプログラムを記憶すると共に、識別情報記憶部６１と符号記憶部６２とが確保された不揮発性の記憶媒体である。識別情報記憶部６１は、識別情報付加処理部５２が付加する版数識別情報を複数種類記憶する領域である。識別情報記憶部６１に記憶された版数識別情報の具体例を図２に示す。本実施例では、版数識別情報は、印刷装置ＰＲＴで印刷する印刷物の端部に付する識別マークである（以下、版数識別情報を識別マークともいう）。図示するように、この例では、番号１〜６，Ｓが付された７つの識別マークが記憶されている。以下では、番号１〜６，Ｓが付された識別マークを、それぞれ識別マークＭ１〜Ｍ６、Ｍｓともいう。各々の識別マークは、少なくとも色または形状が異なっており、その違いを表す階調値情報とパターン情報とを有している。例えば、識別マークＭ１は、（Ｒ，Ｇ，Ｂ）＝（２５５，０，０）の階調値でベタ塗りされた矩形の識別マークである。後述する識別情報付加処理では、原稿データの版数が変わるたびに異なる番号の識別マークが選択され、付加される。識別マークＭｓは、識別マークＭ１〜Ｍ６の全てが既に使用された場合に付加するものである。なお、識別情報記憶部６１に記憶する識別マークの種類の数は、任意に設定すればよい。この種類の数を多数に設定するほど、多数の版数を識別できることは勿論である。
【００３２】
符号記憶部６２は、印刷装置ＰＲＴで印刷対象となった原稿データを、後述する識別情報付加処理によって符号化して記憶する領域である。この符号化されたデータ（以下、判定符号ともいう）が符号記憶部６２に記憶されている様子を概念的に図３に示す。図示するように、本実施例においては、符号記憶部６２には、識別マークＭ１〜Ｍ６の各々に対応する領域Ａ１〜Ａ６が確保されている。領域Ａ１には、識別マークＭ１が付加された原稿データの判定符号が記憶される。同様に、領域Ａ２〜Ａ６には、識別マークＭ２〜Ｍ６が付加された原稿データの判定符号が記憶される。要するに、符号記憶部６２では、原稿データの判定符号と、当該原稿データに付加された識別マークとが対応付けられて記憶される。なお、本実施例では、識別マークＭｓが付加された原稿データの判定符号は、記憶されない。
【００３３】
領域Ａ１に記憶された判定符号の具体例を図４に示す。図示するように、この例では、過去に印刷対象となった原稿データ１〜３の判定符号が記憶されている。本実施例では、判定符号は、原稿データをページごとに符号化することで生成され、図４に示すように、原稿データごとに区分され、更に、ページごとに区分されて記憶される。領域Ａ２〜Ａ６についても、同様に、判定符号は、原稿データごと、ページごとに区分されて記憶される。
【００３４】
Ａ−２．識別情報付加処理：
Ａ−２−１．処理全体の流れ：
印刷装置ＰＲＴにおける識別情報付加処理について説明する。識別情報付加処理とは、原稿データに識別マークを付加する処理である。本実施例においては、識別情報付加処理は、印刷装置ＰＲＴのＣＰＵ５０が、入力部５１の処理として、パーソナルコンピューターＰＣから入力される原稿データ（ＲＧＢラスターデータ）を受け付けたときに開始される。本実施例において、入力される原稿データが表す原稿の具体例を図６に示す。図６に示す原稿データは、４ページで構成される。この原稿データは、図４に例示した原稿データ３に対して、第１ページと第３ページに若干の修正を加えたものである。つまり、原稿データ３と入力された原稿データとは、相互に版数が異なる原稿データであり、これらの相対的な関係においては、原稿データ３は、直近の編集よりも前の原稿データ（旧版）であり、入力された原稿データは、直近の編集後の原稿データ（新版）である。
【００３５】
識別情報付加処理が開始されると、図５に示すように、ＣＰＵ５０は、まず、選択部５４の処理として、識別情報記憶部６１に記憶された識別マークＭ１〜Ｍ６のうちで、当該識別情報付加処理において未選択の識別マークの１つを、原稿データに付加する識別マークの候補として選択する（ステップＳ１１０）。本実施例においては、前回実行された識別情報付加処理によって原稿データに付加された識別マークの番号に１インクリメントした番号の識別マークを選択するものとした。例えば、前回付加した識別マークの番号が１であれば、番号が２の識別マークＭ２を選択し、前回付加した識別マークの番号が６であれば、番号が１の識別マークＭ１を選択する。かかる構成とすれば、旧版の原稿データを印刷装置ＰＲＴで印刷した後、次に印刷装置ＰＲＴでの印刷対象となるのが新版の原稿データである場合に、直前に印刷された旧版に付加された識別マークを選択することを回避できるので、後述する処理を効率的に実行し、処理を高速化することができる。
【００３６】
識別マークの１つを選択すると、ＣＰＵ５０は、符号作成部５３の処理として、入力を受け付けたＲＧＢラスターデータの特徴量を符号化して、判定符号を作成する（ステップＳ１２０）。この判定符号は、後述する処理において、入力されたＲＧＢラスターデータと版数の異なる原稿データが、過去に印刷装置ＰＲＴで印刷されたか否かを判断するために用いられる。ステップＳ１２０については、図７を用いて詳しく説明する。本実施例においては、判定符号は、原稿データのページごとに作成する。図７では、原稿データの第１ページの判定符号を作成する様子を示している。本実施例においては、１つの符号列である判定符号は、Ｎ個（Ｎは１以上の整数）のブロックＢ１〜Ｂｎで構成される。ブロックＢ１〜Ｂｎの各々には、原稿データの全体を４(n-1)個の領域に分割した場合の各分割領域の特徴量を符号化したデータが格納される。例えば、ブロックＢ１には、原稿データを４0（＝１）個の領域に分割した、すなわち、原稿データ全体の特徴量を符号化したデータが格納される。ブロックＢ２には、原稿データを４1（＝４）個の領域に分割した各分割領域の特徴量を符号化したデータが、所定の順序で格納される。なお、ブロック数Ｎを大きくすれば、特徴量が詳細な特徴を表すことができる一方で、処理速度に時間を要することになる。反対に、ブロック数Ｎを小さくすれば、処理速度を高速化することができる一方で、詳細な特徴を表現できない。したがって、ブロック数Ｎは、求められる表現精度と処理速度とを考慮して、適宜設定すればよい。所定の精度を確保するためには、最小の分割領域が１ｍｍ〜１ｃｍ程度となるようにブロック数Ｎを決定することが望ましい。また、原稿データの分割数は、任意に設定可能である。
【００３７】
上述の特徴量は、本実施例では、各分割領域を構成する各々の画素データのうちの、所定範囲の色階調値を有する画素データが占める割合である。ここでは、当該割合を、以下の基準に基づいて、２ビットの情報に符号化することとした。なお、かかる構成では、いずれかの分割領域で「００」または「１１」に符号化された場合、当該分割領域の一部で構成され、当該分割領域よりも小さい分割領域においては、符号化結果は、必ず「００」または「１１」になるので、符号化のための演算の一部を省略し、処理を高速化することも可能である。
「００」：所定範囲の色階調値の画素数が０％
「０１」：所定範囲の色階調値の画素数が０％よりも大きく５０％未満
「１０」：所定範囲の色階調値の画素数が５０％以上１００％未満
「１１」：所定範囲の色階調値の画素数が１００％
【００３８】
本実施例においては、特徴量の算出の基礎となる色階調値の所定範囲は（Ｒ，Ｇ，Ｂ）＝（２５５，２５５，２５５）、つまり、白色とした。かかる構成では、印刷媒体に占める、色材を用いて着色される（印刷が行われる）領域の面積の割合として特徴量を捉えることもできる。かかる構成とすれば、特徴量は、原稿データが表す画像の大まかなレイアウトを反映したものとすることができる。また、原稿データの編集作業の中で、全てのページに亘って、印刷物の着色箇所の色合いが修正されたとしても、版数の異なる原稿データであるか否かの判断を精度良く行うことができる。ただし、この所定範囲は、印刷装置ＰＲＴの印刷対象物の特徴を考慮して適宜設定すればよく、例えば、所定範囲は（Ｒ，Ｇ，Ｂ）＝（０，０，０）、すなわち、黒色としてもよいし、Ｒ，Ｇ，Ｂの各階調値の各々について１００〜１５０の範囲としてもよい。こうしても、色階調値に基づいて、特徴量を容易に算出することができる。しかも、版数が異なる画像データ同士でなければ、所定範囲の色階調値を有する画素データが占める割合は、大きく異なることが多いので、版数の異なる原稿データであるか否かの判断を精度良く行うことができる。勿論、複数の特徴量を組み合わせてもよい。例えば、所定範囲を（Ｒ，Ｇ，Ｂ）＝（２５５，２５５，２５５）とした特徴量を符号化したデータと、所定範囲を（Ｒ，Ｇ，Ｂ）＝（０，０，０）とした特徴量を符号化したデータとを組み合わせて、判定符号としてもよい。こうすれば、版数の異なる原稿データであるか否かの判断の精度を、さらに高めることができる。もとより、特徴量は、上述の例に限らず、各分割領域を構成する各々の画素データの平均色階調値や、輝度値などに基づくエッジ量など、種々の構成とすることができる。
【００３９】
このようにして符号化された符号化データを格納するブロックＢ１〜Ｂｎは、図７に示すように、原稿データの分割数が少ない分割領域の符号化データを格納するブロックほど相対的に前に配置される。なお、上述の例では、原稿データの全体を所定数に分割して、符号化を行う構成について示したが、画像データが、印刷物を仕上がりサイズに断裁するための位置決めなどに用いるコーナートンボの画像データを含み、当該コーナートンボが、常に同一位置に配置されるような場合や、印刷物に、常に同一幅の余白部分が設けられるような場合には、原稿データのうちの、コーナートンボよりも外側の領域や、余白領域を除外した領域のみを対象に、領域の分割及び判定符号の作成を行ってもよい。こうすれば、常に印刷を行われない領域を除外することになるので、原稿データに応じて異なるデータ構成となる部分のみを対象に判定符号を作成でき、版数の異なる原稿データであるか否かの判断の精度を、さらに高めることができる。
【００４０】
このように判定符号を作成すると、ＣＰＵ５０は、符号照合部５６の処理として、判定符号照合処理を行う（ステップＳ１３０）。判定符号照合処理とは、上記ステップＳ１２０で作成した判定符号と、符号記憶部６２の領域Ａ１〜Ａ６のうちの、上記ステップＳ１１０で選択した識別マークに対応する領域に原稿データごとに区分されて記憶された判定符号とを照合し、旧版の判定符号を特定することによって、旧版の判定符号が符号記憶部６２に登録されているか否かを判定する処理である。この判定符号照会処理の詳細については後述する。
【００４１】
判定符号照合処理の結果、旧版の判定符号が登録されていなければ（ステップＳ１４０：ＮＯ）、上記ステップＳ１１０で選択した識別マークは、旧版で未だ使用されていないということである。そこで、ＣＰＵ５０は、上記ステップＳ１２０で作成した判定符号を、符号記憶部６２のうちの、上記ステップＳ１１０で選択した識別マークＭ１〜Ｍ６に対応する領域Ａ１〜Ａ６に登録する（ステップＳ１５０）。判定符号を登録すると、ＣＰＵ５０は、出力部５５の処理として、入力された原稿データ（ＲＧＢラスターデータ）に、上記ステップＳ１１０で選択した識別マークＭ１〜Ｍ６の画像データを合成して、合成データを生成する（ステップＳ１６０）。
【００４２】
一方、旧版の判定符号が登録されていれば（ステップＳ１４０：ＹＥＳ）、上記ステップＳ１１０で選択した識別マークは、旧版で既に使用されているということである。そこで、ＣＰＵ５０は、更に、上記ステップＳ１１０において未選択の識別マークＭ１〜Ｍ６があるか否かを判断する（ステップＳ１７０）。
【００４３】
その結果、未選択の識別マークＭ１〜Ｍ６があれば（ステップＳ１７０：ＹＥＳ）、旧版に使用されていない識別マークＭ１〜Ｍ６が存在する可能性があるということである。そこで、ＣＰＵ５０は、処理を上記ステップＳ１１０に戻し、上記ステップＳ１１０〜Ｓ１７０の処理を繰り返す。一方、未選択の識別マークＭ１〜Ｍ６がなければ（ステップＳ１７０：ＮＯ）、旧版に識別マークＭ１〜Ｍ６の全てが使用されているということである。そこで、ＣＰＵ５０は、全ての識別マークＭ１〜Ｍ６が使用されていることを示す識別マークＭｓを選択し（ステップＳ１８０）、入力された原稿データに、識別マークＭｓの画像データを合成して、合成データを生成する（ステップＳ１６０）。
【００４４】
本実施例においては、上記ステップＳ１６０では、原稿データが表す画像の端部に、識別マークＭ１〜Ｍ６，Ｍｓのいずれかを合成するものとした。こうすれば、原稿データがコーナートンボの画像データを含む場合や、余白部分を有する場合には、画像が印刷される予定のない領域に識別マークＭ１〜Ｍ６，Ｍｓが配置されることになるので、合成データが印刷された際に、識別マークＭ１〜Ｍ６，Ｍｓが印刷画像に影響を与えることがない。その結果、印刷物の編集状態を好適に確認できる。しかも、識別マークＭ１〜Ｍ６，Ｍｓの識別性が低下することもない。更に、印刷媒体の端部に識別マークＭ１〜Ｍ６，Ｍｓが印刷されるので、複数ページの印刷物を重ねた状態でも、容易に識別マークＭ１〜Ｍ６，Ｍｓの色を視認することができる。ただし、必ずしも端部に合成する構成に限定するものではなく、例えば、原稿データが表す画像に重畳する位置に、識別マークＭ１〜Ｍ６，Ｍｓを配置しても差し支えない。
【００４５】
このようにして、合成データが生成されると、識別情報付加処理は終了となる。かかる識別情報付加処理によって、原稿データに識別マークが付加されると、ＣＰＵ５０は、出力部５５の処理として、画像処理部５７を介して、原稿データをプリントエンジン８０に出力し、識別マークが付加された印刷物をプリントエンジン８０に出力させる。識別マークが付加された印刷物の具体例を図８に示す。この例では、印刷物の各ページの上側の端部に、旧版で使用されていない識別マークＭ２が印刷された様子を示している。このように、原稿データと識別マークのデータとを合成して印刷を行えば、印刷装置ＰＲＴが当然に備える印刷機能によって、印刷物に識別マークを付加することができ、識別マークを付加するための特別な機構等が不要である。その結果、印刷装置ＰＲＴの装置構成を簡略化でき、印刷装置ＰＲＴの小型化、低コスト化に資する。
【００４６】
Ａ−２−２．識別情報付加処理の詳細：
上述した識別情報付加処理における判定符号照合処理（ステップＳ１３０）の流れを図９に示す。図示するように、判定符号照合処理が開始されると、ＣＰＵ５０は、まず、符号記憶部６２に登録された判定符号の原稿データ（以下、登録原稿ともいう）のうちから、１つの原稿データを選択する（ステップＳ１３１）。ここで選択された原稿データを選択原稿ともいう。具体的には、ＣＰＵ５０は、符号記憶部６２の領域Ａ１〜Ａ６のうちの、上記ステップＳ１１０で選択された識別マークＭ１〜Ｍ６に対応する領域に原稿データごとに登録された判定符号のうちから、当該判定符号照合処理において未選択の原稿データに係る判定符号を選択する。
【００４７】
判定符号を選択すると、ＣＰＵ５０は、原稿間照合処理を行う（ステップＳ１３２）。原稿間照合処理とは、上記ステップＳ１３１で選択した選択原稿の判定符号と、上記ステップＳ１２０で作成した、入力された原稿データの判定符号とを照合し、選択原稿が旧版のものであるか否かを判定する処理である。この原稿間照合処理の詳細については後述する。原稿間照合処理の結果、選択原稿が旧版のものであれば（ステップＳ１３３：ＹＥＳ）、ＣＰＵ５０は、旧版の判定符号は符号記憶部６２に登録されていると判定する（ステップＳ１３４）。一方、選択原稿が旧版のものでなければ（ステップＳ１３３：ＹＥＳ）、ＣＰＵ５０は、上記ステップＳ１３１において未選択の登録原稿があるか否かを判断する（ステップＳ１３５）。
【００４８】
その結果、未選択の登録原稿があれば（ステップＳ１３５：ＹＥＳ）、ＣＰＵ５０は、処理を上記ステップＳ１３１に戻し、上記ステップＳ１３１〜Ｓ１３５の処理を繰り返す。一方、未選択の登録原稿がなければ（ステップＳ１３５：ＮＯ）、ＣＰＵ５０は、旧版の判定符号は、符号記憶部６２に登録されていないと判定する（ステップＳ１３６）。こうして、判定符号照合処理は終了となる。
【００４９】
かかる判定符号照合処理における原稿間照合処理（上記ステップＳ１３２）の流れを図１０に示す。図示するように、原稿間照合処理が開始されると、ＣＰＵ５０は、まず、入力した原稿データ（以下、印刷原稿ともいう）の判定符号のうちから、当該原稿間照合処理において未だ未選択のＪページ目（Ｊは１以上、Ｋ以下の整数、Ｋは原稿データの総ページ数を示す整数）の判定符号を選択する（ステップＳ２１０）。また、ＣＰＵ５０は、上記ステップＳ１３１で選択した選択原稿の判定符号のうちから、ステップＳ２１０でＪページを選択した際に未だ未選択のＬページ目（Ｌは１以上、Ｍ以下の整数、Ｍは原稿データの総ページ数を示す整数）の判定符号を選択する（ステップＳ２２０）。
【００５０】
判定符号を選択すると、ＣＰＵ５０は、ページ間照合処理を行う（ステップＳ２３０）。ページ間照合処理とは、上記ステップＳ２１０，Ｓ２２０で選択したページ間で判定符号を照合し、判定符号が一致するか否かを判定する処理である。このページ間照合処理の詳細については後述する。ページ間照合処理の結果、判定符号が一致すれば（ステップＳ２４０：ＹＥＳ）、ＣＰＵ５０は、選択原稿は、印刷原稿の旧版であると判定する（ステップＳ２５０）。一方、ページ間照合処理の結果、判定符号が一致しなければ（ステップＳ２４０：ＮＯ）、ＣＰＵ５０は、選択原稿に上記ステップＳ２２０で未選択のページがあるか否かを判断する（ステップＳ２６０）。
【００５１】
その結果、未選択のページがあれば（ステップＳ２６０：ＹＥＳ）、ＣＰＵ５０は、処理を上記ステップＳ２２０に戻し、上記ステップＳ２２０〜Ｓ２５０の処理を繰り返す。一方、未選択のページがなければ（ステップＳ２６０：ＮＯ）、ＣＰＵ５０は、印刷原稿に上記ステップＳ２１０で未選択のページがあるか否かを判断する（ステップＳ２７０）。その結果、未選択のページがあれば（ステップＳ２７０：ＹＥＳ）、ＣＰＵ５０は、処理を上記ステップＳ２１０に戻し、上記ステップＳ２１０〜Ｓ２７０の処理を繰り返す。一方、未選択のページがなければ（ステップＳ２７０：ＮＯ）、ＣＰＵ５０は、選択原稿は、印刷原稿の旧版ではないと判定する（ステップＳ２８０）。こうして、原稿間照合処理は終了となる。
【００５２】
以上の説明から明らかなように、本実施例の判定符号照合処理においては、ページごとに作成された判定符号を、印刷原稿と選択原稿との間で照合し、１ページでも判定符号が一致する選択原稿があれば、選択原稿はをごうをはいてはょりとは                                                                                                                印刷原稿の旧版であり、符号記憶部６２に旧版の判定符号が登録されていると判定する構成とした。かかる構成とすることで、旧版の判定符号を簡単に行うことができ、しかも、判定符号照合処理を高速化することができる。ただし、かかる判定の基準は、１よりも多数のページで判定符号が一致することとしてもよい。こうすれば、旧版の判定符号を精度良く、かつ、簡単に特定することができる。また、当該判定の基準は、印刷原稿の全ページに占める、判定符号が一致するページの割合などとしてもよい。こうしても、旧版の判定符号を精度良く特定することができる。
【００５３】
かかる原稿間照合処理におけるページ間照合処理（上記ステップＳ２３０）の流れを図１１に示す。図示するように、ページ間照合処理が開始されると、ＣＰＵ５０は、まず、印刷原稿及び選択原稿の判定符号を構成するブロックＢ１〜Ｂｎうちから、当該ページ間照合処理において未だ未選択であるＰ番目（Ｐは１以上、Ｎ以下の整数）のブロックＢｐをそれぞれ選択する（ステップＳ２３１）。ブロックＢｐを選択すると、ＣＰＵ５０は、印刷原稿及び選択原稿のブロックＢｐに格納された符号化データを照合する（ステップＳ２３２）。
【００５４】
符号化データを照合すると、ＣＰＵ５０は、照合した両ブロックの符号化データが一致するか否かを判断する（ステップＳ２３３）。その結果、符号化データが一致しなければ（ステップＳ２３３：ＮＯ）、ＣＰＵ５０は、印刷原稿（Ｊページ目）及び選択原稿（Ｌページ目）の判定符号は一致しないと判定する（ステップＳ２３４）。一方、符号化データが一致すれば（ステップＳ２３３：ＹＥＳ）、ＣＰＵ５０は、上記ステップＳ２３１で未選択のブロックＢｐがあるか否かを判断する（ステップＳ２３５）。その結果、未選択のブロックＢｐがあれば（ステップＳ２３５：ＹＥＳ）、ＣＰＵ５０は、処理を上記ステップＳ２３１に戻し、上記ステップＳ２３１〜Ｓ２３５の処理を繰り返す。一方、未選択のブロックＢｐがなければ（ステップＳ２３５：ＮＯ）、ＣＰＵ５０は、印刷原稿（Ｊページ目）及び選択原稿（Ｌページ目）の判定符号は一致すると判定する（ステップＳ２３６）。こうして、ページ間照合処理は終了となる。
【００５５】
Ａ−３．効果：
かかる構成の印刷装置ＰＲＴは、過去に印刷対象となった原稿データの特徴量を符号化した判定符号を、付加して出力する版数識別情報と対応付けて符号記憶部６２に記憶する。そして、新たに印刷対象となる原稿データから作成した判定符号と、符号記憶部６２に記憶された判定符号とを照合して、印刷対象となる原稿データとは版数が異なる旧版の原稿データの判定符号を特定し、旧版に未だ付加されていない版数識別情報を識別情報記憶部６１から選択して、原稿データに付加して出力する。したがって、識別情報記憶部６１に記憶された版数識別情報の数までは、種類が異なる版数識別情報を付加した印刷物を出力することができる。その結果、ユーザーは、版数識別情報を頼りに、新版と旧版との混同を防止することができ、検版作業の利便性が向上する。しかも、かかる印刷装置ＰＲＴは、入力された原稿データから作成した判定符号によって、旧版の原稿データを特定することができるので、版管理システムを備えない外部装置、例えば、原稿データを作成したパーソナルコンピューターなどから原稿データを受け付けて出力する場合においても、好適に適用することができ、汎用性に優れる。
【００５６】
また、印刷装置ＰＲＴは、原稿データについてページ単位で判定符号を作成し、新たに印刷対象となる原稿データの判定符号と、符号記憶部６２に記憶された判定符号とが、所定数または所定割合のページで一致する場合に、符号記憶部６２に記憶された判定符号を、旧版の判定符号として特定する。したがって、判定符号の作成単位と、判定符号の一致を判断する単位との整合が図られるので、効率的な処理を行うことができる。しかも、簡単な処理で旧版の原稿データを特定することができる。
【００５７】
また、印刷装置ＰＲＴは、原稿データを分割領域ごとに符号化を行った符号化データを合わせて判定符号を作成するので、範囲の広さと詳細さを併せ持つ判定符号を作成して、版数が異なる原稿データの判定符号を効率的かつ精度良く特定することができる。また、印刷装置ＰＲＴは、原稿データの同一の範囲を異なるＮ個の分割数でそれぞれ分割して符号化し、判定符号としてブロックＢ１〜Ｂｎに格納する。ブロックＢ１〜Ｂｎは、原稿データの分割数が小さい分割領域の符号化データを格納するブロックほど相対的に前に配置される。したがって、照合する判定符号のもととなる原稿データ間の内容が大きく異なる場合には、判定符号が不一致であることがわかり、版数が異なる画像データの判定符号ではないことを特定することができ、処理の効率化、高速化に資する。
【００５８】
Ｂ．第２実施例：
本発明の第２実施例について説明する。
Ｂ−１．印刷装置ＰＲＴａの概略構成：
第２実施例としての印刷装置ＰＲＴａの概略構成を図１２に示す。図１２において、第１実施例と同様の構成については、図１と同一の符号の末尾に「ａ」を付して表示している。以下、第１実施例と同様の構成については説明を省略し、第１実施例と異なる点についてのみ説明する。図示するように、印刷装置ＰＲＴａは、識別情報付加処理部３５２の機能が第１実施例の識別情報付加処理部５２と異なる。また、メモリー６０ａには、第１実施例とは異なる情報が記憶される識別情報記憶部３６１と符号記憶部３６２とが確保されている。また、印刷装置ＰＲＴａは、ハードディスクドライブ３７０を備えている。このハードディスクドライブ３７０には、ラスターデータ記憶部３７１が確保されている。
【００５９】
識別情報付加処理部３５２は、符号作成部５３ａ、出力部３５５，同一性判定部３５６としての機能を有している。この識別情報付加処理部３５２は、識別情報付加処理を行う。第２実施例としての識別情報付加処理とは、入力されたＲＧＢラスターデータに対して、旧版と新版とが同一であるか否かをページごとに識別可能な同一性識別情報を付加する処理である。
【００６０】
メモリー６０ａに確保された識別情報記憶部３６１は、識別情報付加処理部３５２が付加する同一性識別情報を記憶する領域である。本実施例においては、識別情報記憶部３６１には、第１実施例に示した識別マークＭ１の幅が相対的に短い形状Ａの識別マークと、識別マークＭ１幅が相対的に長い形状Ｂの識別マークとが記憶されている。ただし、識別情報記憶部３６１に記憶された識別マークは、種類が異なるものであればよく、例えば、同一形状であって、色が異なるマークであってもよい。
【００６１】
メモリー６０ａに確保された符号記憶部３６２は、領域Ａ１〜Ａ６を備えていない点でで、第１実施例の符号記憶部６２と異なる。すなわち、符号記憶部３６２には、印刷装置ＰＲＴａで印刷対象となった原稿データの判定符号が、原稿データごとに区分され、更に、ページごとに区分されて記憶されるが、これらは、原稿データに付加された識別マークと対応付けられていない。
【００６２】
ハードディスクドライブ３７０に確保されたラスターデータ記憶部３７１には、印刷装置ＰＲＴａで印刷対象となった原稿データそのもの、すなわち、ＲＧＢラスターデータが記憶される。ここで記憶されるＲＧＢラスターデータは、符号記憶部３６２に原稿データごとに区分して記憶された判定符号と対応付けられている。符号記憶部３６２及びラスターデータ記憶部３７１に、判定符号及びＲＧＢラスターデータが記憶された様子を概念的に図１３に示す。この例では、原稿データ１〜４の判定符号とＲＧＢラスターデータとが対応付けられて記憶されている様子を示している。本実施例では、判定符号及びＲＧＢラスターデータは、印刷装置ＰＲＴａが入力を受け付けた順に、すなわち、印刷対象となった順に記憶されている。図１３に示す例では、原稿データ１，２，３，４の順に印刷対象となったことを示している。なお、このような順に配置することに代えて、判定符号及びＲＧＢラスターデータと、ＲＧＢラスターデータの出力日時とを対応付けて記憶してもよい。
【００６３】
原稿データ３と原稿データ４とは、原稿データ３が旧版、原稿データ４が新版の関係にあり、図示するように、第１ページと第３ページに編集が加えられている。なお、本実施例においては、符号記憶部３６２とラスターデータ記憶部３７１とは、異なる記憶媒体に確保されているが、同一の記憶媒体に確保されていてもよい。例えば、判定符号とＲＧＢラスターデータとは、両者共に符号記憶部３６２に記憶されてもよい。
【００６４】
Ｂ−２．識別情報付加処理：
Ｂ−２−１．処理全体の流れ：
印刷装置ＰＲＴａにおける識別情報付加処理について図１４を用いて説明する。図１４において、第１実施例と同様の処理については、図５と同様の符号を付して、詳細な説明を省略する。第２実施例としての識別情報付加処理が開始されると、ＣＰＵ５０ａは、入力を受け付けたＲＧＢラスターデータの特徴量を符号化して、判定符号を作成する（ステップＳ１２０）。この処理は、第１実施例と同様である。
【００６５】
判定符号を作成すると、ＣＰＵ５０ａは、判定符号照合処理を行う（ステップＳ１３０）。この処理は、基本的に第１実施例と同様である。ただし、上記ステップＳ１３１においては、符号記憶部３６２に記憶された登録原稿から、相対的に新しい登録原稿を順に選択する。図１３に示した例では、原稿データ４、３，２，１の順に選択することとなる。上述したように、判定符号及びＲＧＢラスターデータは、印刷対象となった順に記憶されているので、このように選択することは容易である。かかる構成とすることで、印刷原稿の最も直近に印刷された旧版を容易に特定することができる。
【００６６】
判定符号照合処理の結果、旧版の判定符号が登録されていなければ（ステップＳ１４０：ＮＯ）、新版と旧版との同一性を判定することはできない。そこで、ＣＰＵ５０ａは、上記ステップＳ１２０で作成した判定符号を符号記憶部３６２に記憶するとともに、これと対応付けて、ＲＧＢラスターデータをラスターデータ記憶部３７１に記憶する（ステップＳ４４０）。
【００６７】
一方、旧版の判定符号が登録されていれば（ステップＳ１４０：ＹＥＳ）、ＣＰＵ５０ａは、マーク形状決定処理を行う（ステップＳ４１０）。マーク形状決定処理とは、新版と旧版との同一性に応じた識別マークの形状を決定する処理である。具体的には、新版と旧版とが同一であることを示す形状Ａの識別マークと、新版と旧版とが同一でないことを示す形状Ｂの識別マークとのうちのいずれを各ページに付加するかを決定する処理である。この処理の詳細については後述する。
【００６８】
マーク形状決定処理を行うと、ＣＰＵ５０ａは、上記ステップＳ１２０で作成した判定符号を符号記憶部３６２に記憶するとともに、これと対応付けて、ＲＧＢラスターデータをラスターデータ記憶部３７１に記憶する（ステップＳ４２０）。この処理は、上記ステップＳ４４０と同様の処理である。
【００６９】
判定符号及びＲＧＢラスターデータを記憶すると、ＣＰＵ５０ａは、出力部５５の処理として、入力された原稿データ（ＲＧＢラスターデータ）に、上記ステップＳ４１０で決定した形状の識別マークの画像データを合成して、合成データを生成する（ステップＳ４３０）。
【００７０】
このようにして、合成データが生成されると、識別情報付加処理は終了となる。かかる識別情報付加処理によって、原稿データに識別マークが付加されると、ＣＰＵ５０ａは、出力部５５の処理として、画像処理部５７を介して、原稿データをプリントエンジン８０に出力し、プリントエンジン８０に識別マークが付加された印刷物を出力させる。識別マークが付加された印刷物の具体例を図１５に示す。この例は、上述した図１３において、符号記憶部３６２及びラスターデータ記憶部３７１に、原稿データ１〜３の判定符号及びＲＧＢラスターデータが記憶されている（原稿データ４は記憶されていない）状態で、新たに原稿データ４の印刷を行った際の印刷物を示している。図示するように、印刷物の各ページの上側の端部には、新版（原稿データ４）において、旧版（原稿データ３）から修正のあった第１，３ページでは、形状Ｂの識別マークが印刷され、旧版から修正のない第２，４ページでは、形状Ａの識別マークが印刷されている。
【００７１】
Ｂ−２−２．識別情報付加処理の詳細：
上述した識別情報付加処理におけるマーク形状決定処理（ステップＳ４１０）の流れを図１６に示す。図示するように、マーク形状決定処理が開始されると、ＣＰＵ５０ａは、まず、新版である印刷原稿のうち、当該マーク形状決定処理において未だ未選択のＪページ（Ｊは１以上、Ｋ以下の整数、Ｋは原稿データの総ページ数を示す整数）を選択する（ステップＳ４１１）。本実施例においては、選択するページを１ページから１づつインクリメントしていくものとした。Ｊページを選択すると、ＣＰＵ５０ａは、上記ステップＳ１３０で特定した旧版にＪページ目があるか否かを判断する（ステップＳ４１２）。
【００７２】
その結果、Ｊページ目があれば（ステップＳ４１２：ＹＥＳ）、ＣＰＵ５０ａは、新版のＪページ目と、符号記憶部３６２に記憶された旧版のＪページ目との間で、判定符号を照合する（ステップＳ４１３）。照合の結果、判定符号が完全に一致すれば（ステップＳ４１４：ＹＥＳ）、Ｊページ目の新版と旧版とは、内容が完全に同一である可能性がある。そこで、ＣＰＵ５０ａは、新版のＪページ目と、ラスターデータ記憶部３７１に記憶された旧版のＪページ目との間で、ＲＧＢラスターデータを照合する（ステップＳ４１５）。照合の結果、ＲＧＢラスターデータが完全に一致すれば（ステップＳ４１６：ＹＥＳ）、ＣＰＵ５０ａは、新版のＪページ目の識別マークを、新版と旧版とが同一であることを示す形状Ａの識別マークに決定する（ステップＳ４１７）。
【００７３】
一方、旧版にＪページ目がない場合（ステップＳ４１２：ＮＯ）、判定符号が一致しない場合（ステップＳ４１４：ＮＯ）、ＲＧＢラスターデータが一致しない場合（ステップＳ４１６：ＮＯ）には、ＣＰＵ５０ａは、新版のＪページ目の識別マークを、新版と旧版とが同一でないことを示す形状Ｂの識別マークに決定する（ステップＳ４１８）。
【００７４】
こうして、新版のＪページ目の識別マークの形状を決定すると、ＣＰＵ５０ａは、新版の全てのページについて、識別マークの形状を決定するまで、上記ステップＳ４１１〜Ｓ４１８の処理を繰り返し（ステップＳ４１９）、マーク形状決定処理を終了する。以上の説明からも明らかなように、本実施例においては、新版及び旧版の同一のページ同士を照合して、新版と旧版との同一性を判定している。
【００７５】
Ｂ−３．効果：
かかる構成の印刷装置ＰＲＴは、過去に印刷対象となった原稿データの特徴量を符号化した判定符号を原稿データ（ＲＧＢラスターデータ）と対応付けて、判定符号を符号記憶部６２に、原稿データをラスターデータ記憶部３７１記憶する。そして、新たに印刷対象となる原稿データから作成した判定符号と、符号記憶部６２に記憶された判定符号とを照合して、印刷対象となる原稿データの旧版の判定符号を判定する。そして、印刷対象となる原稿データと、特定した判定符号に対応付けられた原稿データとを照合して、原稿データ間の同一性を所定の単位（本実施例ではページごと）に判定し、その判定結果を同一性識別情報としての識別マークを付加した印刷物を出力する。したがって、ユーザーは、編集を行ったページと編集を行わなかったページとを容易に識別することができ、検版作業の利便性が向上する。しかも、判定符号に基づいて特定された旧版の原稿データのみを対象として、原稿データの照合を行うので、判定符号と比較してデータサイズの大きい原稿データ同士の照合を極力避けることができ、処理を効率化、高速化することができる。さらに、印刷装置ＰＲＴは、原稿データから作成した判定符号と、原稿データとによって、旧版を特定し、同一性の判定を行うことができるので、第１実施例と同様に、汎用性に優れる。
【００７６】
Ｃ．第３実施例：
本発明の第３実施例について説明する。第３実施例としての印刷装置ＰＲＴｂの構成は、第２実施例と同様であり、説明を省略する。ただし、以下の説明において、第３実施例としての構成を説明する場合には、図１２に示した各々の構成に付した符号の末尾を「ｂ」に代えて表示する。第３実施例と第２実施例とは、マーク形状決定処理の内容のみが異なる。以下、第２実施例と異なる点についてのみ説明し、第２実施例と共通する点については説明を省略する。第３実施例としてのマーク形状決定処理の流れを図１７に示す。第３実施例としてのマーク形状決定処理が開始されると、ＣＰＵ５０ｂは、新版である印刷原稿のうち、当該マーク形状決定処理において未だ未選択のＪページ（Ｊは１以上、Ｋ以下の整数、Ｋは原稿データの総ページ数を示す整数）を選択する（ステップＳ５１１）。Ｊページを選択すると、ＣＰＵ５０ｂは、旧版である選択原稿のうち、ステップＳ５１１でＪページを選択した際に未だ未選択のＬページ（Ｌは１以上、Ｍ以下の整数、Ｍは原稿データの総ページ数を示す整数）を選択する（ステップＳ５１２）。ステップＳ５１１，Ｓ５２２においては、選択するページを１ページから１づつインクリメントしていくものとした。
【００７７】
Ｌページを選択すると、ＣＰＵ５０ｂは、上記ステップＳ５１１，Ｓ５１２で選択したページ間で判定符号を照合する（ステップＳ５１３）。照合の結果、判定符号が完全に一致すれば（ステップＳ５１４：ＹＥＳ）、ＣＰＵ５０ｂは、ラスターデータ記憶部３７１に記憶されたＲＧＢラスターデータを照合する（ステップＳ５１５）。照合の結果、ＲＧＢラスターデータが完全に一致すれば（ステップＳ５１６：ＹＥＳ）、ＣＰＵ５０ｂは、新版のＪページ目の識別マークを、新版と旧版とが同一であることを示す形状Ａの識別マークに決定する（ステップＳ５１７）。
【００７８】
一方、判定符号が一致しない場合（ステップＳ５１４：ＮＯ）、ＲＧＢラスターデータが一致しない場合（ステップＳ５１６：ＮＯ）には、ＣＰＵ５０ｂは、旧版に未選択のページがあるか否かを判断する（ステップＳ５１８）。その結果、未選択のページがあれば（ステップＳ５１８：ＹＥＳ）、処理を上記ステップＳ５１２に戻して、上記ステップＳ５１２〜Ｓ５１６の処理を繰り返す。一方、未選択のページがなければ、（ステップＳ５１８：ＮＯ）、ＣＰＵ５０ｂは、新版のＪページ目の識別マークを、新版と旧版とが同一でないことを示す形状Ｂの識別マークに決定する（ステップＳ５１９）。
【００７９】
こうして、新版のＪページ目の識別マークの形状を決定すると、ＣＰＵ５０ｂは、新版の全てのページについて、識別マークの形状を決定するまで、上記ステップＳ５１１〜Ｓ５１９の処理を繰り返し（ステップＳ５２０）、マーク形状決定処理を終了する。以上の説明からも明らかなように、本実施例においては、新版の各々のページと、旧版の各々のページとをそれぞれ照合して、新版と旧版との同一性を判定している。
【００８０】
かかる構成の印刷装置ＰＲＴｂは、第２実施例と同様の効果を奏する。しかも、新版の各々のページと、旧版の各々のページとをそれぞれ照合して、つまり、総当たりで照合可能であるから、新版と旧版とでページの順番が入れ替わったとしても、各ページの実質的な内容の同一性を判定し、同一性識別情報として付加して出力することができる。したがって、ユーザーの検版作業における利便性が向上する。
【００８１】
上述した第３実施例のように、新版の各々のページと、旧版の各々のページとをそれぞれ照合して、新版と旧版との同一性を判定する構成とする場合には、上記ステップＳ５１６の判断に基づいて、いずれのページ同士が一致するかを示す情報を記憶しておけば、新版の各々のページと、旧版の各々のページとの対応関係を判定して、その結果を原稿データに付加して、識別可能に出力することも可能である。
【００８２】
例えば、ＲＧＢラスターデータが各ページで完全に一致する場合には、図１８に示すように、新版の各ページに、旧版の対応ページ、つまり、新版の各ページが旧版のいずれのページと一致するのかを示す識別情報を付加することが可能である。図１８の例では、Ａ〜Ｅのページに新版と旧版とが同一であることを示す形状Ａの識別マークが付され、更に、識別マークと併せて旧版の対応ページが表示された状態を示している。例えば、新版の第２ページには、当該ページが旧版の第３ページに対応する旨の識別マークが付加されている。
【００８３】
あるいは、旧版に対して新版に新たなページが追加され、当該追加されたページ以外のページでは、新版と旧版とが完全に一致する場合には、図１９に示すように、新たに追加されたページに、その旨を示す情報を付加することが可能である。図１９の例では、ページＥが新規に追加された旨の識別マークが付加されている。あるいは、旧版に対して新版の所定のページが削除され、当該削除されたページ以外のページでは、新版と旧版とが完全に一致する場合には、図２０に示すように、削除されたページの両端に配置されるページに、その間のページが削除された旨を示す情報を付加することが可能である。図２０の例では、ページＣ，Ｅの識別マークの脇に、削除されたページの始点または終点を示すマークを更に付加することで、ページＤが削除された旨を識別可能にしている。
【００８４】
これらの構成とすれば、ユーザーは、新版と旧版とのページごとの対応関係を容易に識別することができ、検版作業の利便性が向上する。しかも、判定符号に基づいて特定された旧版のみを対象として原稿データの照合を行うので、判定符号と比較してデータサイズが大きい原稿データとの照合を極力避けることができ、処理を効率化、高速化することができる。
【００８５】
かかる図１８〜図２０に示した態様は、新版と旧版との対応ページが完全に一致する場合に限られるものではない。例えば、ＲＧＢラスターデータが完全に一致したページのみに対して、上述したような識別マークを付加してもよい。あるいは、ページ間でのＲＧＢラスターデータを構成する各画素データの一致率を算出し、当該一致率が所定値以上である場合に、対応関係があると判定する構成としてもよい。
【００８６】
Ｄ．変形例：
上述の実施形態の変形例について説明する。
Ｄ−１．変形例１：
上述の実施形態においては、原稿データの符号化は、ページ単位で行う構成としたが、符号化を行う単位は、任意に設定すればよい。例えば、２ページを単位として符号化を行ってもよいし、１／２ページを単位として符号化を行ってもよい。また、上述の実施形態においては、判定符号は、所定範囲（上述の例では、１ページ）の原稿データを所定数の領域に分割して、分割領域ごとに符号化を行ったデータで構成したが、判定符号の対象領域全体を一体的に符号化してもよい。
【００８７】
Ｄ−２．変形例２：
上述した第１実施例としての印刷装置ＰＲＴの構成と、第２実施例としての印刷装置ＰＲＴａの構成とは、組み合わせることも可能である。かかる構成は、例えば、以下のようにして実現可能である。まず、符号記憶部６２に、判定符号と識別マークと印刷日時などの時間情報とを対応付けて記憶しておく。次に、符号記憶部６２に記憶された全ての原稿データに対して照合を行って、第１実施例としての識別情報付加処理を実行する。次に、第１実施例として示した識別情報付加処理において、旧版と判断された全ての原稿データのうちで、時間情報が最新の原稿データに対して、第２実施例としてのマーク形状決定処理を行う。かかる構成とすれば、第１実施例及び第２実施例の効果を同時に奏することができ、検版作業の利便性が大幅に向上する。なお、同様に、第１実施例としての印刷装置ＰＲＴの構成と、第３実施例としての印刷装置ＰＲＴｂとの構成を組み合わせることも可能である。
【００８８】
Ｄ−３．変形例３：
上述の第３実施例においては、同一性識別情報と、新版と旧版との対応関係を示す情報とを一体的に形成した識別マークを付加する構成について示したが、複数の情報を表す場合には、それぞれの情報を表す識別マークが分離した配置で付加してもよい。上述の変形例２に対しても同様である。
【００８９】
Ｄ−４．変形例４：
上述の実施形態においては、原稿データと識別マークの画像データとを合成した合成データを印刷することによって、原稿データの印刷物に識別マークを付加する構成について示したが、識別マークは、印刷以外の方法で付加されてもよい。例えば、印刷装置がパンチ穴を形成する機構を備えている場合には、位置、大きさ、形状、数などを変化させてパンチ穴を形成することで、識別マークとして機能させてもよい。あるいは、印刷装置が裁断等の機能を備えている場合には、同様に、印刷媒体をカットする位置、大きさ、形状、数などを変化させてもよい。かかる場合、ＣＰＵ５０は、ＲＧＢラスターデータと共に、パンチ穴の形成位置などを表す情報を、識別情報としてＲＧＢラスターデータと共に出力する構成としてもよい。
【００９０】
Ｄ−５．変形例５：
上述の実施形態において記憶媒体に記憶する判定符号や原稿データは、圧縮して記憶してもよい。あるいは、複数の判定符号間や、複数の原稿データ間で、データが完全に一致するものがある場合には、一方のみを記憶して、他方が必要な処理においては、当該一方を流用してもよい。これらの構成とすれば、記憶媒体の記憶容量を有効利用することができる。逆に言えば、記憶媒体の容量を小さくすることができる。
【００９１】
Ｄ−６．変形例６：
上述した実施形態においては、本発明を印刷装置として実現する例について示したが、本発明は、プリントサーバーと印刷装置とを備えた広義の印刷装置としても実現することができる。この場合、上述の実施形態で説明した印刷装置の機能（プリントエンジン８０を除く）の一部または全部をプリントサーバーが備える構成としてもよい。これらの機能の全てをプリンターサーバーが備える場合、当該プリントサーバーは、版数識別情報や同一性識別情報などの各種識別情報を原稿データに付加して出力する印刷制御装置としても捉えることができる。
【００９２】
Ｄ−７．変形例７：
上述の実施形態においては、本発明の画像出力装置の態様の１つとして印刷機構に画像データを出力する印刷装置の構成について示したが、本発明の画像出力装置は、種々の形態で実現することができる。例えば、製版装置に画像データを出力する画像出力装置とすることもできる。あるいは、画像表示装置に画像データを出力する画像出力装置とすることもできる。
【００９３】
画像表示装置としての概略構成の例を図２１に示す。図２１において、第１実施例と同様の構成については、図１と同一の符号の末尾に「ｂ」を付して表示している。以下、第１実施例と同様の構成については説明を省略し、第１実施例と異なる点についてのみ説明する。図示するように、画像表示装置ＤＩＳは、ビデオコントローラー６４０と、ディスプレイ６８０とを備えている。ビデオコントローラー６４０は、画像表示装置ＤＩＳの動作全般を制御する制御ユニットである。ディスプレイ６８０は、本実施例では、液晶式のディスプレイであり、ディスプレイ駆動回路を備えている。ビデオコントローラー６４０を構成するＣＰＵ６５０は、第１実施例として示した識別情報付加処理を実行するほか、画像処理部６５７として機能する。識別情報付加処理によって、版数識別情報が付加された画像データは、識別情報付加処理部５２ｂから画像処理部６５７を介して、ディスプレイ６８０に出力される。画像処理部６５７は、識別情報付加処理部５２によって版数識別情報を付加されたＲＧＢラスターデータを、ディスプレイ６８０の色規格に適したＲＧＢ形式のラスターデータに色変換する。
【００９４】
かかる画像表示装置ＤＩＳは、種類が異なる版数識別情報を付加した画像データを表示することができるので、第１実施例と同様の効果を奏する。しかも、ディスプレイ上で検版作業を行うことができるので、印刷出力する場合と比較して印刷媒体が不要となり、省資源に資する。なお、画像表示装置ＤＩＳは、第２実施例として示した識別情報付加処理を実行してもよいことは勿論である。また、ＣＰＵ６５０の機能は、サーバが備える構成とし、当該サーバに接続されたディスプレイに画像データを出力する構成とすることもできる。
【００９５】
以上、本発明の実施形態について説明したが、上述した実施形態における本発明の構成要素のうち、独立クレームに記載された要素以外の要素は、付加的な要素であり、適宜省略、または、組み合わせが可能である。また、本発明はこうした実施形態に限られるものではなく、本発明の要旨を脱しない範囲において、種々なる態様で実施できることは勿論である。例えば、本発明は、印刷装置や画像表示装置などの種々の画像出力装置としての構成の他、画像出力制御装置、画像出力制御プログラム、印刷制御プログラム、当該プログラムを記録した記憶媒体、画像出力方法、印刷方法、印刷制御方法等としても実現することができる。
【符号の説明】
【００９６】
３１…アプリケーション
３２…ラスターライズ処理部
４０…プリントコントローラー
５０…ＣＰＵ
５１…入力部
５２…識別情報付加処理部
５３…符号作成部
５４…選択部
５５…出力部
５６…符号照合部
５７…画像処理部
６０…メモリー
６１…識別情報記憶部
６２…符号記憶部
８０…プリントエンジン
３５２…識別情報付加処理部
３５５…出力部
３５６…同一性判定部
３６１…識別情報記憶部
３６２…符号記憶部
３７０…ハードディスクドライブ
３７１…ラスターデータ記憶部
６４０…ビデオコントローラー
６５０…ＣＰＵ
６５７…画像処理部
６８０…ディスプレイ
ＰＲＴ…印刷装置
ＰＣ…パーソナルコンピューター
ＤＩＳ…画像表示装置
【図１】
2011205193.tif 000003
【図２】
2011205193.tif 000004
【図３】
2011205193.tif 000005
【図５】
2011205193.tif 000006
【図９】
2011205193.tif 000007
【図１０】
2011205193.tif 000008
【図１１】
2011205193.tif 000009
【図１２】
2011205193.tif 000010
【図１４】
2011205193.tif 000011
【図１６】
2011205193.tif 000012
【図１７】
2011205193.tif 000013
【図１８】
2011205193.tif 000014
【図１９】
2011205193.tif 000015
【図２０】
2011205193.tif 000016
【図２１】
2011205193.tif 000017
【図４】
2011205193.tif 000018
【図６】
2011205193.tif 000019
【図７】
2011205193.tif 000020
【図８】
2011205193.tif 000021
【図１３】
2011205193.tif 000022
【図１５】
2011205193.tif 000023